(57)【要約】      （修正有）【課題】毛髪の毛量が少なく、猫毛であっても毛を纏められて落下を防ぎ、デザイン性の高いヘアピンを提供する。【解決手段】支持部材１０で耳かき状に捻りながら形づくることで毛髪を少量でも捉えやすくし、接着効果のある弾性部材２を塗りつけることにより支持部材１０と台座部３を固定し、乾燥させた後は毛髪に留まりやすくする。台座部に貫通させた穴３ａと、伸縮部材５に穴あきビーズ部材６と継ぎ目なしの係止部材４を通して係止部材４と連結する。装飾部材７で自由な飾りの形の素材で様々なデザインを楽しむことができるようにしたヘアピン。【選択図】図１
2019141142.tif 000002
【特許請求の範囲】
【請求項１】
少なくとも２つ以上の脚部を有する支持部材と、
前記支持部材に配置された伸縮部材と、
前記伸縮部材に配置される係止部材とからなり、
前記係止部材が前記脚部で係止されることを特徴とするヘアピン。
【請求項２】
前記支持部材の頭部に接する側の一部が弾性部であることを特徴とする請求項１に記載のヘアピン。
【請求項３】
前記支持部材の頭部に接しない側の一部が台座部であることを特徴とする請求項１又は請求項２に記載のヘアピン。
【請求項４】
前記脚部の端部が耳かき状又は杓子形であることを特徴とする請求項１から請求項３のいずれかに記載のヘアピン。
【発明の詳細な説明】
【技術分野】
【０００１】
本発明は、毛髪が柔らかく毛量が少なくても髪の毛から落下しにくくしたヘアピンに関するものである。
【背景技術】
【０００２】
従来から、デザイン性に優れ、機能性のある支持部材と係止部材とヘアピン類を併せ持つ次のような頭飾具が提案されている。（特許文献１参照）
【先行技術文献】
【特許文献】
【０００３】
【特許文献１】特開２００３−１９０２１
【発明の概要】
【発明が解決しようとする課題】
【０００４】
従来の技術では、装着者の毛髪の毛量がある一定の量がないと、装着時の重さに耐えられず落下してしまっていた。デザインや装飾が素敵であっても、平均的な毛量に達しない毛髪では、装着すら叶わなかった。
【０００５】
また、毛髪が柔らかく毛量が少ない人に配慮したヘアピンが数少なく、市販のヘアピンを使っても落下したり移動したりしてヘアスタイルが充分楽しめなかった。例えば、前髪だけをヘアピンで留めた場合、留めた部分がひしゃげてしまって落武者のように見えてしまい、見た目も悪かった。
【０００６】
しかしながら、多数の女性は毛髪が長いため、ヘアピンを使用する機会が多く、あらゆる状況で髪を纏たり着飾りたいのに、市販のヘアピンでは叶わないことが多かった。本発明は従来のこのような問題点に着目し、少量の毛髪を留めても落下しないためになされたものである。毛髪から落下することなく、毛髪を浮き立たせることにより地肌を目立ちにくくし、デザイン性の高いヘアピンを提供することを目的とする。
【課題を解決するための手段】
【０００７】
本発明の特徴は、少なくとも２つ以上の脚部を有する支持部材と、前記支持部材に配置された伸縮部材と、前記伸縮部材に配置される係止部材とからなり、前記係止部材が前記脚部で係止されることである。
【０００８】
本発明の特徴は、前記支持部材の頭部に接する側の一部が弾性部であることである。
【０００９】
本発明の特徴は、前記支持部材の頭部に接しない側の一部が台座部であることである。
【００１０】
本発明の特徴は、前記脚部の端部が耳かき状又は杓子形であることである。
【発明の効果】
【００１１】
（イ）少量の毛髪でもすくえるように、一文字の支持部材を巻きながら三本の脚部の先を耳かき状になるように捻って形を作り、支持部材と台座部を弾性部材で固定して、支持部材と毛髪が移動しないようにし、台座部に開けた穴に係止部材を取り付け、その係止部材に伸縮性のある伸縮部材を接続して係止部材を脚部に通し、毛髪を挟み込むことにより落下しないようにしたヘアピンである。
【００１２】
（ロ）本発明においては、少なく纏めた毛髪を、脚部で引っ掛け、引っくり返して毛髪に差し込むことにより、毛髪が立ち上がり、地肌が目立ちにくくなる効果があり、そのヘアスタイルを維持するために伸縮部材で斜め留めすることで毛髪から落下しないようにし、弾性部により摩擦が強くなり、毛髪から移動しにくくし、台座部の素材や伸縮部材に通す穴あきビーズ部材や装飾部材を様々な物質にすることでデザイン性や高級感を楽しむことができる。
【図面の簡単な説明】
【００１３】
【図１】本発明の正面図である。
【図２】本発明の側面図である。
【図３】本発明の分解図である。
【図４】本発明を使用した状態を説明する図である。
【発明を実施するための形態】
【００１４】
以下、本発明に係わる１実施形態を図１と図３を参照して詳細に説明する。
ここで、図１は本発明に係わる１実施形態のヘアピンの正面図であり、図３は図１に示した本実施形態をパーツごとに分解した分解図である。
【００１５】
まず、最初に図３を参照し、本実施形態図１のヘアピン１００の構造を説明する。
図３に示した本実施形態のヘアピン１００は、主に薄毛に悩む女性の頭髪に装着して頭部を装飾するヘアピンであって、図３（ａ）に示すようにワイヤー状の３本の脚部１を有する支持部材１０を有している。
この支持部材１０と脚部１とは、例えば銅製のワイヤーで製作されたもので脚部１の先端は、それぞれが湾曲している。支持部材１０の材質は銅や鉄、銀やアルミ等の金属に限るものではなくプラスチックや樹脂などでも良い。
【００１６】
さらに、この支持部材１０の脚部１は銅や鉄、銀やアルミ等のワイヤーを耳かき状に捻りながら３本縦方向に先端が２５度から４５度の角度であることが好ましい。２５度から４５度が最も毛髪をすくいやすいためである。
【００１７】
また、ワイヤー横方向に３回折り曲げて３つの耳かき状を形作るので互いに絡まり強度が上がる。
【００１８】
さらに、支持部材１０に弾性部材を塗りつけ弾性部２を設けることで、台座部３や装飾部材７などを接着できるようになりまた弾性部２は摩擦力で、髪に留まることが可能になる。
【００１９】
また、弾性部２はシリコーンシーラント等の接着力が強く、乾燥後も摩擦で毛髪に引っ掛かりができる接着性のある弾性部材を用いることが好ましい。また、弾性部２は支持部材１０と一体であっても良い。
【００２０】
次に、台座部３には金属、アクリル、レジン、プラスチック等の素材に穴を設ければ、色、形は自由である。台座部３と支持部材１０は一体形成されていても良い。
【００２１】
係止部材４と伸縮部材５と穴あきビーズ部材６は、本発明の重要な部分であり、係止部材４には丸カン等の輪があるものなら形は自由であり、伸縮部材５はゴム製の伸縮する素材（パワーストーンブレスレットによく利用されている）であれば、髪を挟み込む時や脚部１との係合時に使用しやすい。
【００２２】
また、（ｂ）の穴あきビーズ部材６も、素材はスワロフスキーやパワーストーン、真珠等を用いることで装飾効果が増す。
【００２３】
装飾部材（ｂ）は（ｃ）の台座部３の表面に接着する。素材は金属、レジン、ビジュー、宝石、布製のコサージュ等で、色の有無及び色の差異を問わない図示されない支持手段によって台座部３に取り付けられている。
【００２４】
また、図１を参照し、本実施形態のヘアピンの作用を説明する。
係止部材４を台座部３の穴３ａに結合させ、もう一つの係止部材４で脚部１の３本の内一番遠い耳かき状の脚部１ａの先から通して装着する。この時、ヘアピン１００を耳かき状の脚部１ａから毛髪に差し込む。あらかじめ髪を捻っておき、市販の夜会巻きコームを装着する要領で前の毛髪を少しすくってヘアピンを表面が上になるように引っくり返して差し込むと、毛髪が立ち上がり少し毛量が増えたように見える。毛髪が支持部材の上に乗れば、係止部材４を耳かき状脚部１ａの先に引っ掛けて捻っておいた髪を間に挟みこむ。これで、一実施形態であるポンパドールというヘアスタイルが簡単にできる。
【００２５】
すなわち、本実施形態のヘアピンは薄毛の女性の髪形を維持することができ、ヘアピンが落下したりすることを防ぎ、服装や気分に合わせて様々な演出が可能となり、極めて便利である。
さらに、本発明実施形態について詳しく説明したが、本発明は上述した実施形態に決まって限定されるものではない。例えば上述した実施形態においてはワイヤー状の支持部材や脚部を用いているが、細い板状の金属性ではないものを形成することもでき、また脚部１ａ先端に弾性部材を配置することでより髪をすくいやすくまた頭皮を痛くなくすることができ、部材などを任意に選択することができる。また、台座部の穴３ａは左右どちらでも設けることができる。
【００２６】
以上の説明から明らかなように、本発明のヘアピンは、支持部材に揺動自在に連結された伸縮部材で、少量の毛髪でもしっかりヘアスタイルを維持できる極めて便利なものである。
【符号の説明】
【００２７】
１      脚部
１ａ    耳かき状
２      弾性部
３      台座部
３ａ    穴
４      係止部材
５      伸縮部材
６      穴あきビーズ部材
７      装飾部材
１０    支持部材
１００  ヘアピン
【図１】
2019141142.tif 000003
【図２】
2019141142.tif 000004
【図３】
2019141142.tif 000005
【図４】
2019141142.tif 000006